(57)【要約】【課題】簡易な操作でハンドルを折り畳むことが可能であり、収納に便利な腹筋運動器を提供する。【解決手段】本考案の腹筋運動器は、Ｕ型パイプ１と、Ｕ型パイプ１の中間に固定された枕２と、Ｕ型パイプ１両側の末端に取り付けられたハンドル４とを備えた腹筋運動器であって、Ｕ型パイプ１の両側末端には、周縁がアーチ形であり、かつ、複数の固定位３０が設けられている固定盤３が少なくとも１つ固定されており、ハンドル４は、ハンドル４の底部が固定盤３に垂直な軸４０を介して固定盤３に対して回転可能に連結されているとともに、ハンドル４の底部の軸４０と離れたところに少なくとも１つの横管４２が設けられており、固定盤３の固定位３０に対し、定位部品６が横管４２を通して固定される。【選択図】図１
0003129479.tif 000002
【実用新案登録請求の範囲】
【請求項１】
Ｕ型パイプと、該Ｕ型パイプの中間に固定された枕と、該Ｕ型パイプ両側の末端に取り付けられたハンドルとを備えた腹筋運動器であって、
上記Ｕ型パイプの両側末端には、周縁がアーチ形であり、かつ、複数の固定位が設けられている固定盤が少なくとも１つ固定されており、
上記ハンドルは、該ハンドルの底部が上記固定盤に垂直な軸を介して該固定盤に対して回転可能に連結されているとともに、該ハンドルの底部の該軸と離れたところに少なくとも１つの穴が設けられており、該固定盤の上記固定位に対し、２つの定位部品が該穴を通してそれぞれ固定されることを特徴とする腹筋運動器。
【請求項２】
上記固定盤は、上記Ｕ型パイプの両側の末端に、それぞれ一定の距離を離れて並行に２枚ずつ設置されており、
上記ハンドルの底部は、上記２枚の固定盤の間に設置されており、
上記ハンドルの底部の上記軸は、該ハンドルの底部に固定されており、該軸の両端はそれぞれ対応する上記固定盤に連結されており、
上記定位部品は、上記ハンドルの片側に設けられた上記固定盤の上記固定位から挿入され、上記穴を通して該ハンドルのその他の該固定盤の該固定位に着位することを特徴とする請求項１に記載の腹筋運動器。
【請求項３】
上記ハンドルの底部には、上記軸に並行する１つの横管が設けられており、該横管の軸線に沿って該横管の上に上記穴が開けてあることを特徴とする請求項１または２に記載の腹筋運動器。
【請求項４】
上記ハンドルの底部には、上記固定盤に並行する結合盤がそれぞれ設けられており、
上記固定盤と上記結合盤とは、軸カバーを用いて軸の両側にかけられ、外側はそれぞれねじで固定されており、
上記穴は、上記結合盤に設けられており、上記定位部品は上記結合盤上の該穴を通し、上記固定盤の上記固定位中に着位することを特徴とする請求項１に記載の腹筋運動器。
【請求項５】
上記固定位は、アーチ形の周縁に沿って設けられている複数の固定穴であり、
上記定位部品は、１つのプラグであることを特徴とする請求項１，２，４のいずれか１項に記載の腹筋運動器。
【請求項６】
上記固定盤は、アーチ型の溝が設けられており、該アーチ型の溝には複数の細頸部が設けられており、該細頸部の間が上記固定位となることを特徴とする請求項１，２，４のいずれか１項に記載の腹筋運動器。
【請求項７】
上記定位部品は、ねじチューブと、ねじチューブの両側にねじ込む押さえ具および止め具とを備え、
上記止め具は、アーチ型の溝における上記細頸部の幅より小さい外径を有する細頸のある棒と、固定盤の外側に位置しており、上記細頸のある棒部分との間の外径がアーチ型の溝における上記細頸部の幅より大きい止め部とからなり、
上記定位部品の外側にはスプリングがついており、該スプリングは両側の固定盤とねじチューブにびったり抑える形になっていることを特徴とする請求項６に記載の腹筋運動器。
【請求項８】
上記Ｕ型パイプは、結合部と、結合部から両側に垂直で延長する２本の側管と、嵌め込む形で該側管につなぐ延長管とから構成されており、
上記固定盤は、上記延長管の末端に固定されており、
上記側管の外壁および該延長管の外壁には、対応で軸線に沿って配列された定位穴が設けられており、
上記側管の内側には、該側管および上記延長管の上記定位穴に収まれる弾力性のある突出プラグが設けられており、
上記突出プラグは、弾力部品と、該弾力部品の上についてあるプラグとから構成されていることを特徴とする請求項１に記載の腹筋運動器。
【請求項９】
上記固定盤と上記ハンドルとの結合部において、該固定盤および該ハンドルの底部の外側にはカバーがそれぞれ設けられており、
上記カバーは、その周縁がアーチ形であり、上記定位部品が通れる開口が設けてあることを特徴とする請求項１に記載の腹筋運動器。
【請求項１０】
さらに、上記両ハンドル底部の２つの軸を連結する連結管を設け、該連結管にはクッションを設けることを特徴とする請求項１に記載の腹筋運動器。
【考案の詳細な説明】
【技術分野】
【０００１】
本考案は、一種の運動健康機材に関し、特に、腹筋運動器に関するものである。
【背景技術】
【０００２】
国民生活の向上に伴い、健康に対する人々の関心が高まりつつある。そのニーズに応じて、様々な運動健康機材が開発されている。現在、Ｕ型パイプと、Ｕ型パイプの中間部に取り付けた枕と、枕板側に取り付けたクッションと、Ｕ型パイプの両端に連結されたハンドルとから構成された一種の簡単な腹筋運動器が知られている。
【０００３】
上記腹筋運動器では、上記両ハンドルがそれぞれＵ型パイプの末端からアーチ形を取りながら上へ延長しており、アーチ形の末端は少し内側へ折り込んで握り部を形成し、使用者はここを握る。使用時、使用者は体をクッションに横にして、両手はハンドルの握り部にしっかり掴んで座る。そして、腹筋運動器を体と一緒に動かし、アーチ形の部分を地面に接触させて回転させる。
【考案の開示】
【考案が解決しようとする課題】
【０００４】
上記従来の腹筋運動器では、Ｕ型パイプの両末端は上へ伸びる形になっているため、占める空間が大きく、使用しない際の収納に不便であり、使用者に迷惑をかける。
【０００５】
本考案は、簡易な操作でハンドルを折り畳むことが可能であり、収納に便利な腹筋運動器を提供することを目的としている。
【課題を解決するための手段】
【０００６】
上記課題を解決するために、本考案の腹筋運動器は、Ｕ型パイプと、該Ｕ型パイプの中間に固定された枕と、該Ｕ型パイプ両側の末端に取り付けられたハンドルとを備えた腹筋運動器であって、上記Ｕ型パイプの両側末端には、周縁がアーチ形であり、かつ、複数の固定位が設けられている固定盤が少なくとも１つ固定されており、上記ハンドルは、該ハンドルの底部が上記固定盤に垂直な軸を介して該固定盤に対して回転可能に連結されているとともに、該ハンドルの底部の該軸と離れたところに少なくとも１つの穴が設けられており、該固定盤の上記固定位に対し、２つの定位部品が該穴を通してそれぞれ固定されることを特徴としている。
【０００７】
また、本考案の腹筋運動器のさらなる改善は次のようである。上記Ｕ型パイプは、結合部と、結合部から両側に垂直で延長する２本の側管と、嵌め込む形で該側管につなぐ延長管とから構成されており、上記固定盤は、上記延長管の末端に固定されており、上記側管の外壁および該延長管の外壁には、対応で軸線に沿って配列された定位穴が設けられており、上記側管の内側には、該側管および上記延長管の上記定位穴に収まれる弾力性のある突出プラグが設けられており、上記突出プラグは、弾力部品と、該弾力部品の上についてあるプラグとから構成されていることを特徴としている。
【考案の効果】
【０００８】
本考案の腹筋運動器は、以上のように、ハンドルの底部と固定盤とを回転可能に連結することにより、軸を中心にハンドルを回転させることができる。また、固定盤の所定の固定位とハンドルの底部の穴とを合わせて、固定部品で固定することにより、異なる傾斜角度が実現でき、使用者の異なる使用ニーズに合わせることができる。また、固定盤の最低位の固定位とハンドルの底部の穴とが定位にびったり合うとき、ハンドルはＵ型パイプと平行する形になり、完全に折り畳まれるために、最小の空間を占用し、収納に便利である。
【０００９】
また、本考案の腹筋運動器は、Ｕ型パイプに延長管を繋ぎ、該延長管と固定盤とを連結することができる。そして、上記延長管と上記Ｕ型パイプとの重なる部分の長さを調節することによって、身長が異なる人々の使用ニーズに合わせることができる。
【考案を実施するための最良の形態】
【００１０】
本考案の一実施形態について図１〜図１０に基づいて説明すると以下の通りである。
【００１１】
図１〜図４に示しているのは、本考案の第１実施形態に係る腹筋運動器である。本実施形態の腹筋運動器は、Ｕ型パイプ１と、Ｕ型パイプの中間部に固定されている枕２と、Ｕ型パイプ１の両側末端にそれぞれ固定されている固定盤３と、両ハンドル４と、両ハンドル４底部に固定し、固定盤３と合わせる結合盤５と、固定盤３と結合盤５を連結する定位部品６とで構成されている。
【００１２】
そのうち、Ｕ型パイプ１は、連結部１１と、連結部１１から垂直で伸ばした両側管１３とで構成されている。
【００１３】
枕２は、Ｕ型パイプ１の連結部１１に固定されており、クッション材料が用いられる。クッション材料としては、例えば、スポンジ、綿等が用いられ、使用者の頭部の凭れに用いる。これにより、使用者の頭部が硬いＵ型パイプ１或いは地面に当ることを防ぐことができる。枕２の同じ側にクッション２０が設けられている。
【００１４】
固定盤３は、それぞれＵ型パイプ１の両側管１３の末端に固定されている。固定盤３の周縁はアーチ形であり、固定盤３ごとにいくつかの固定位３０が設けられている。本実施形態では、固定位３０はアーチ形に沿って分布するいくつかの固定穴である。
【００１５】
両ハンドル４は、使用者の両手が握る部分で、長い棒状である。その上部は内側へすこし折り込み、握りと力の施しにもっと適合するようにしている。その底部には横になっている軸４０と軸４０に平行している横管４２が固定されている。
【００１６】
結合盤５もハンドル４の底部に設けられている。結合盤５には、軸４０から離れた適当な位置に少なくとも１つの穴５０が設けられている。同じ側の結合盤５、固定盤３は軸カバー７１を用いてそれぞれ軸４０の両側にかけられ、その外側にはねじ７３で固定されている。これによって結合盤５、固定盤３は軸４０を中心に回転することが可能である。
【００１７】
固定部品６は、それぞれ対応の結合盤５上の穴５０、ハンドル４底部の横管４２を通して固定盤３上の固定位３０に着位する。本実施形態では、定位部品６は１つのプラグである。図３に示すように、穴５０と複数の固定位３０とがそれぞれびったり合ったとき、ハンドル４の傾斜角度が異なる。図４に示すように、最低位の固定位３０と対応の穴５０がびったり合う時、ハンドル４はＵ型パイプと平行になって、完全に折り畳まれ、収納に便利である。
【００１８】
構造全体の強度を強化するため、両側の軸４０を連結する連結管８を増加することもある。そして、連結管８の上にクッション２０を設け、使用者が結合管８に直接当るようにする。
【００１９】
また、固定盤３および結合盤５の外側には、カバー９がそれぞれ設けられている。カバー９の周縁はアーチ形になって、使用時に地面で自由に転がることが可能である。カバー９の上には定位部品６が通れる開口９０が設けてある。カバー９は、異物が固定盤３と結合盤５との間に入って順調な回転を妨げることを防止すると同時に、全体的に見栄えをよくする効果もある。
【００２０】
次に、図５および図６を参照し、本考案の第２実施形態の腹筋運動器について説明する。図５および図６に示す第２実施形態の腹筋運動器は、Ｕ型パイプ１の両側管１３にそれぞれ一本の延長管１５を嵌め込んで繋ぐことにより、身長の異なる使用者に対応することが可能である。図５では、側管１３に延長管１５を挿入しているが、延長管１５に側管１３を挿入することも可能である。本実施形態では、固定盤５は延長管１５の末端に固定されており、側管１３の外壁と延長管１５の外壁には対応で軸線に沿って配列された定位穴１３０、１５０が設けられている。側管１３の内側には側管１３及び延長管１５の定位穴１３０、１５０に収まれる弾力性のある突出プラグ８０が設けてある。突出プラグ８０は、側管１３の内壁に固定されている弾力部品８１と、弾力部品８１の上についてあるプラグ８２とから構成されている。弾力部品８１としては、線スプリング、螺旋スプリング、スプリングチップ等を用いることができる。Ｕ型パイプ１の長さを調整する場合、プラグ８２を内側に押さえ込み、延長管１５の定位穴１５０との嵌め込む状態から脱離すれば、側管１３に沿って延長管１５を引き伸ばすことができる。延長管１５の次の定位穴１５０がプラグ８２にところまで移動されたとき、プラグ８２は再び跳ね上がってこの定位穴１５０に嵌め込む。
【００２１】
次に、図７〜図１０を参照し、本考案の第３実施形態の腹筋運動器について説明する。第３実施形態の腹筋運動器は、その大部分の構成が第１実施形態の腹筋運動器と同一である。第３実施形態の腹筋運動器と第１実施形態の腹筋運動器の異なるところは、固定盤３にアーチ形の溝が設けられていることである。固定盤３のアーチ形の溝には、複数の細頸部３２が設けられており、隣り合う細頸部３２の間が固定位３０として用いられる。本実施形態では、定位部品６は、三つの部品を組み合わせたものであり、ねじチューブ６０と、ねじチューブ６０の両側にねじ込む押さえ具６１および止め具６２とから構成されている。止め具６２は、外径がアーチ形の溝の細頸部３２の幅より大きくない細頸のある棒６２１と（実際の使用を考え、細頸のある棒６２１の外形は通常アーチ型溝の細頸部３２の幅よりすこし小さい）、止め具６２の外側に設けられた止め部６２２とから構成されている。また、止め具６２の細頸のある棒６２１と止め部６２２との間の部分の外径は、アーチ型の溝の細頸部３２の幅よりも大きい。定位部品６を取り付ける際は、ねじチューブ６０を固定盤３と結合盤５の間に取り付け、押さえ具６１を結合盤５に設けられた穴５０を通してねじチューブ６０にねじ込む。止め具６２を固定盤３のアーチ形の溝穴を通してねじチューブ６０にねじ込む、止め具６２にはスプリング６６がついており、スプリング６６は両側の固定盤３側の軸カバー（或いは固定盤３）とねじチューブにびったり抑える形になっている。ハンドル４の角度を調整するとき、定位部品６の押さえ具６１を固定盤３の方へ押したまま、細頸のある棒６２１とアーチ形の溝が合うようにするだけで、ハンドル４が回転可能になる。そのため、細頸のある棒６２１をアーチ形の溝の細頸部３２に通し、適当な角度になると、押さえる力を緩めるだけで定位部品６はスプリング６６の弾力によって復位し、止め部６２２が固定盤３に当るまで、細頸のある棒６２１がアーチ形の溝から脱離する。止め具６２の止め部６２２と細頸のある棒６２１の間の外径がアーチ形溝の細頸部３２の幅より大きいため、細頸部３２を通すことができなく、定位が実現できる。
【００２２】
次に、本考案の第４実施形態の腹筋運動器について説明する。第４実施形態の腹筋運動器は、第１実施形態の腹筋運動器に比べ、主な変化は次の通りである。結合盤５を取り消し、Ｕ型パイプの両側末端にそれぞれ平行で一定の間隔をおいた２枚の固定盤３を設ける。ハンドル４の底部は対応の両固形盤３の間に取り付け、軸４０はハンドル４の底部に固定する。軸４０の両端はそれぞれ対応する固定盤３に結合し、ハンドル４の下部には穴が設けてある。たとえば、第１実施形態中の横管４２の中心の空間を穴として使う。その際、定位部品６をハンドル４の片側の固定盤３の固定位３０から挿入し、横管４２を通したあと、ハンドル４のその他の固定盤３の固定位３０に着位する。
【００２３】
次に、本考案の第５実施形態の腹筋運動器について説明する。第５実施形態の腹筋運動器は、第１実施形態の腹筋運動器を簡単にしたものである。すなわち、結合盤５を取り消し、横管４２の中心の空間を結合盤５上の穴５０として使う。その際、ハンドル４が軸４０を中心に適当な角度まで回転された際、定位部品６が直接横管４２を通し、固定盤３の固定位３０に着位することによって同じくハンドルの定位が実現できる。
【００２４】
本考案では、ハンドル４の底部を軸４０を介して固定盤３に回転可能に連結することにより、軸４０を中心にハンドル４を回転することができる。固定盤３の複数の固定位３０とハンドル４の底部の穴とを合わせ、定位部品６で固定することによって、ハンドル４の角度を異ならせることができ、使用者の異なるニーズに満足できる。固定盤３の最低位置の固定位３０と穴がびったり合う時、ハンドルはＵ型パイプと平行になって完全に折り畳まれる。その際、占用する空間が最も小さく、収納に便利である。その上、本考案は異なる身長の使用者に合わせることが可能である。Ｕ型パイプ１に延長管１５を繋いで固定盤３と連結し、延長管１５とＵ型パイプ１の重なる部分の長さを調節することによって異なる身長の使用者のニーズを満足することができる。
【図面の簡単な説明】
【００２５】
【図１】本考案の１実施形態に係る腹筋運動器の局部詳細分解状態図である。
【図２】上記腹筋運動器の組合せ状態図である。
【図３】上記腹筋運動器のハンドルにおける異なる傾斜角度の略図である。
【図４】上記腹筋運動器のハンドルが完全に折り畳まれた状態の略図である。
【図５】本考案の第２実施形態に係る腹筋運動器のＵ型パイプ分解状態図である。
【図６】上記腹筋運動器のＵ型パイプにおける異なる長さの状態図である。
【図７】本考案の第３実施形態に係る腹筋運動器の分解状態図である。
【図８】上記腹筋運動器の組合せ状態図である。
【図９】上記腹筋運動器の固定盤と結合盤の連結仕組み図である。
【図１０】上記腹筋運動器の組合せ状態図である。
【符号の説明】
【００２６】
１      Ｕ型パイプ
２      枕
３      固定盤
４      ハンドル
５      結合盤
６      定位部品
８      連結管
９      カバー
１１    連結部
１３    両側管
１５    延長管
２０    クッション
３０    固定位
４０    軸
４２    横管
５０    穴
６０    ねじチューブ
６１    押さえ具
６２    止め具
６６    スプリング
７１    軸カバー
７３    ねじ
８０    突出プラグ
８１    弾力部品
８２    プラグ
９０    開口
１３０、１５０  定位穴
６２１  細頸のある棒
６２２  止め部
【図１】
0003129479.tif 000003
【図２】
0003129479.tif 000004
【図３】
0003129479.tif 000005
【図４】
0003129479.tif 000006
【図５】
0003129479.tif 000007
【図６】
0003129479.tif 000008
【図７】
0003129479.tif 000009
【図８】
0003129479.tif 000010
【図９】
0003129479.tif 000011
【図１０】
0003129479.tif 000012